(57)【要約】【課題】順番待ちの利用者のストレスを緩和することに貢献するベルトパーティション装置、およびこのベルトパーティション装置を有する情報提供システムを提供する。【解決手段】ベルトパーティション装置１は、支柱１０、ベルト２０、および第１情報提供部３１を有する。支柱１０は、ベルト２０を巻き取る構造を有する。ベルト２０は、支柱１０から引き出される構造を有する。第１情報提供部３１は、ベルト２０に形成されている。第１情報提供部３１は、携帯端末装置において利用される情報を有する。【選択図】図１
2014181533.tif 000002
【特許請求の範囲】
【請求項１】
ベルトパーティション装置であって、
前記ベルトパーティション装置は、支柱、ベルト、および情報提供部を有し、
前記支柱は、前記ベルトを巻き取る構造を有し、
前記ベルトは、前記支柱から引き出される構造を有し、
前記情報提供部は、前記ベルトおよび前記支柱の少なくとも一方に形成され、携帯端末装置において利用される情報を有する
ベルトパーティション装置。
【請求項２】
前記情報提供部は、施設に関連する情報、および催し物に関連する情報の少なくとも一方を有する
請求項１に記載のベルトパーティション装置。
【請求項３】
前記ベルトパーティション装置は、複数の前記情報提供部を有し、
前記複数の情報提供部は、前記ベルトの長手方向において間隔をおいて形成されている
請求項１または２に記載のベルトパーティション装置。
【請求項４】
前記ベルトパーティション装置は、複数の前記情報提供部を有し、
前記複数の情報提供部の一部は、前記ベルトの一方の面に形成され、
前記複数の情報提供部のうちの別の一部は、前記ベルトの他方の面に形成されている
請求項１〜３のいずれか一項に記載のベルトパーティション装置。
【請求項５】
前記ベルトパーティション装置は、告知部を有し、
前記支柱は、前記告知部を支持し、
前記告知部は、前記情報提供部に関する情報を表示している
請求項１〜４のいずれか一項に記載のベルトパーティション装置。
【請求項６】
前記情報提供部は、ＮＦＣタグを有する
請求項１〜５のいずれか一項に記載のベルトパーティション装置。
【請求項７】
請求項１〜６のいずれか一項に記載のベルトパーティション装置、および携帯端末装置を有する情報提供システム。
【請求項８】
前記情報提供システムは、サーバーを有し、
前記情報提供部は、ＡＲマーカーを有し、
前記携帯端末装置は、撮影部および通信部を有し、前記撮影部により取得した前記ＡＲマーカーの情報を前記通信部により前記サーバーに送信し、前記ＡＲマーカーの情報に基づいて前記サーバーから送信される情報を前記通信部により受信する
請求項７に記載の情報提供システム。
【請求項９】
前記携帯端末装置は、位置情報を取得し、前記通信部により前記位置情報を前記サーバーに送信し、
前記サーバーは、前記ＡＲマーカーの情報および前記位置情報に基づいて、前記携帯端末装置の利用者が目的地に到達するまでの予測時間情報を前記携帯端末装置に送信する
請求項８に記載の情報提供システム。
【発明の詳細な説明】
【技術分野】
【０００１】
本発明は、ベルトパーティション装置およびこのベルトパーティション装置を有する情報提供システムに関する。
【背景技術】
【０００２】
特許文献１は、ベルトパーティション装置を開示している。
図１５は、特許文献１のベルトパーティション装置３００を示している。
ベルトパーティション装置３００は、支柱３１０およびベルト３２０を有する。
【０００３】
支柱３１０は、床面から鉛直方向の上方に延伸する形状を有する。支柱３１０は、支持台３１１、ポール３１２、およびベルト収容部３１３を有する。
支持台３１１は、床面に固定されている。支持台３１１は、ポール３１２を支持している。ポール３１２は、支持台３１１に固定されている。ポール３１２は、ベルト収容部３１３を支持している。
【０００４】
ベルト収容部３１３は、内部にベルト３２０を収容している。ベルト収容部３１３は、ベルト引出部３１３Ａおよびベルト固定部３１３Ｂを有する。
ベルト引出部３１３Ａは、ベルト収容部３１３の内部からベルト３２０を引き出すことが可能な構造を有する。ベルト固定部３１３Ｂは、他のベルトパーティション装置のベルトの端部を固定することが可能な構造を有する。
【０００５】
ベルト３２０は、ベルト収容部３１３の内部の巻取軸（図示略）に巻きつけられた状態で収容されている。ベルト３２０は、付勢部（図示略）によりベルト３２０の巻取り方向に付勢されている。
【先行技術文献】
【特許文献】
【０００６】
【特許文献１】特開２００６−１１８３２１号公報
【発明の概要】
【発明が解決しようとする課題】
【０００７】
ベルトパーティション装置３００は、一例として、商業施設または金融機関等の施設において、施設の利用の順番待ちのために列をなしている利用者の通路を区画するために用いられる。一方、利用者は、順番待ちの時間が長くなるにつれてストレスを感じる。
【０００８】
本願発明者は、順番待ちの利用者のストレスを緩和することについて検討した。本願発明者は、その結果、ベルトパーティション装置３００になお改善の余地があることを見出した。
【０００９】
本発明は、以上の背景をもとに創作されたものであり、順番待ちの利用者のストレスを緩和することに貢献するベルトパーティション装置、およびこのベルトパーティション装置を有する情報提供システムを提供することを目的とする。
【課題を解決するための手段】
【００１０】
（１）本手段は、「ベルトパーティション装置であって、前記ベルトパーティション装置は、支柱、ベルト、および情報提供部を有し、前記支柱は、前記ベルトを巻き取る構造を有し、前記ベルトは、前記支柱から引き出される構造を有し、前記情報提供部は、前記ベルトおよび前記支柱の少なくとも一方に形成され、携帯端末装置において利用される情報を有するベルトパーティション装置」を含む。
【００１１】
上記ベルトパーティション装置は、情報提供部を有する。情報提供部は、ベルトおよび支柱の少なくとも一方に形成されている。情報提供部は、携帯端末装置において利用される情報を有する。このため、ベルトパーティション装置が設置される施設において順番待ちのために列をなしている利用者は、携帯端末装置を用いて情報提供部から情報を取得できる。このため、利用者は、情報提供部から得られた情報を施設の順番待ちの間に利用することができる。このため、ベルトパーティション装置は、利用者のストレスを緩和することができる。
【００１２】
（２）上記手段の一形態は、「前記情報提供部は、施設に関連する情報、および催し物に関連する情報の少なくとも一方を有するベルトパーティション装置」を含む。
上記情報提供部は、施設に関連する情報、および催し物に関する情報の少なくとも一方を有する。このため、利用者は、施設の利用の順番待ちの間に、施設に関連する情報および催し物に関する情報を取得することができる。
【００１３】
（３）上記手段の一形態は、「前記ベルトパーティション装置は、複数の前記情報提供部を有し、前記複数の情報提供部は、前記ベルトの長手方向において間隔をおいて形成されているベルトパーティション装置」を含む。
【００１４】
上記ベルトパーティション装置は、複数の情報提供部を有する。複数の情報提供部は、前記ベルトの長手方向において間隔をおいて形成されている。このため、ベルトパーティション装置は、利用者が情報を取得できる機会を増やすことができる。
【００１５】
（４）上記手段の一形態は、「前記ベルトパーティション装置は、複数の前記情報提供部を有し、前記複数の情報提供部の一部は、前記ベルトの一方の面に形成され、前記複数の情報提供部のうちの別の一部は、前記ベルトの他方の面に形成されているベルトパーティション装置」を含む。
【００１６】
上記複数の情報提供部の一部は、ベルトの一方の面に形成されている。上記複数の情報提供部のうちの別の一部は、ベルトの他方の面に形成されている。このため、ベルトパーティション装置は、利用者が情報を取得できる機会を増やすことができる。
【００１７】
（５）上記手段の一形態は、「前記ベルトパーティション装置は、告知部を有し、前記支柱は、前記告知部を支持し、前記告知部は、前記情報提供部に関する情報を表示しているベルトパーティション装置」を含む。
【００１８】
上記ベルトパーティション装置は、告知部を有する。告知部は、情報提供部に関する情報を表示している。このため、ベルトパーティション装置は、利用者に情報提供部の存在を気づかせやすくできる。このため、ベルトパーティション装置は、利用者に情報提供部が利用されやすくなる。
【００１９】
（６）上記手段の一形態は、「前記情報提供部は、ＮＦＣタグを有するベルトパーティション装置」を含む。
上記情報提供部は、ＮＦＣタグを有する。このため、ベルトパーティション装置は、利用者がＮＦＣ搭載の携帯端末装置を情報提供部にかざすことにより、利用者に情報を提供することができる。
【００２０】
（７）上記手段の一形態は、「上記のいずれか一つに記載のベルトパーティション装置、および携帯端末装置を有する情報提供システム」を含む。
（８）上記手段の一形態は、「前記情報提供システムは、サーバーを有し、前記情報提供部は、ＡＲマーカーを有し、前記携帯端末装置は、撮影部および通信部を有し、前記撮影部により取得した前記ＡＲマーカーの情報を前記通信部により前記サーバーに送信し、前記ＡＲマーカーの情報に基づいて前記サーバーから送信される情報を前記通信部により受信する情報提供システム」を含む。
【００２１】
（９）上記手段の一形態は、「前記携帯端末装置は、位置情報を取得し、前記通信部により前記位置情報を前記サーバーに送信し、前記サーバーは、前記ＡＲマーカーの情報および前記位置情報に基づいて、前記携帯端末装置の利用者が目的地に到達するまでの予測時間情報を前記携帯端末装置に送信する情報提供システム」を含む。
【００２２】
上記情報提供システムのサーバーは、ＡＲマーカーの情報および位置情報に基づいて、携帯端末装置の利用者が目的地に到達するまでの予測時間情報を携帯端末装置に送信する。このため、施設の利用者は、おおよその待ち時間を知ることができる。このため、ベルトパーティション装置は、利用者のストレスが緩和される可能性を高めることができる。
【発明の効果】
【００２３】
本ベルトパーティション装置および本情報提供システムは、順番待ちの利用者のストレスを緩和することに貢献する。
【図面の簡単な説明】
【００２４】
【図１】第１実施形態のベルトパーティション装置の正面図。
【図２】第１実施形態のベルトパーティション装置が有するベルトおよび情報提供部に関する図であって、（ａ）はベルトおよび情報提供部の正面図、（ｂ）はベルトおよび情報提供部の背面図。
【図３】第１実施形態の告知部の正面図。
【図４】第１実施形態の情報提供システムの構成図。
【図５】第１実施形態の携帯端末装置の概略構成を示すブロック図。
【図６】第１実施形態の基地局の概略構成を示すブロック図。
【図７】第１実施形態の情報提供用サーバーの概略構成を示すブロック図。
【図８】第１実施形態のアプリケーション提供用サーバーの概略構成を示すブロック図。
【図９】第１実施形態の情報提供部により行われる情報提供方法に関する図であり、その処理手順を示すフローチャート。
【図１０】第１実施形態の携帯端末装置に関する図であり、（ａ）は携帯端末装置の表示部にコンテンツを選択するための画像が表示されている状態を示す携帯端末装置の正面図、（ｂ）は携帯端末装置の表示部に図９（ａ）において選択されたコンテンツの内容が表示されている状態を示す携帯端末装置の正面図。
【図１１】第１実施形態の携帯端末装置に関する図であり、（ａ）は携帯端末装置の表示部にコンテンツを選択するための画像が表示されている状態を示す携帯端末装置の正面図、（ｂ）は携帯端末装置の表示部に図１１（ａ）において選択されたコンテンツの内容が表示されている状態を示す携帯端末装置の正面図。
【図１２】第１実施形態の携帯端末装置に関する図であり、図１１（ｂ）において選択されたコンテンツの内容が表示されている状態を示す携帯端末装置の正面図。
【図１３】第２実施形態の情報提供部およびベルトの正面図。
【図１４】第２実施形態の情報提供部およびベルトの背面図。
【図１５】従来のベルトパーティション装置の正面図。
【発明を実施するための形態】
【００２５】
（第１実施形態）
図１を参照して、ベルトパーティション装置１の構成について説明する。なお、図１は、複数のベルトパーティション装置１が互いに連結された状態を示している。
【００２６】
ベルトパーティション装置１は、一例として、商業施設において施設の利用の順番待ちのために列をなしている利用者の通路を区画するために用いられる。以下においては、施設として「包装容器歴史館」を例に説明する。包装容器歴史館は、冷凍食品等に用いられる様々な包装容器を展示している。包装容器歴史館は、利用者がオリジナルの包装容器を作成する等の様々な催し物を行っている。以下においては、包装容器歴史館を単に「施設」と称する。ベルトパーティション装置１は、支柱１０、ベルト２０、情報部３０、および告知部４０を有する。
【００２７】
支柱１０は、ベルト２０を巻き取る構造を有している。支柱１０は、支持台１１、支柱本体１２、およびベルト収容部１３を有する。
支持台１１は、施設の床面（図示略）に配置されている。支持台１１は、支柱本体１２を支持している。支持台１１は、支柱本体１２と互いに連結されている。
【００２８】
支柱本体１２は、床面から鉛直方向の上方に延伸する形状を有する。支柱本体１２は、ベルト収容部１３を支持している。支柱本体１２は、支持台１１およびベルト収容部１３と互いに連結されている。
【００２９】
ベルト収容部１３は、内部にベルト２０を収容することが可能な構造を有する。ベルト収容部１３は、告知部４０を支持している。ベルト収容部１３は、収容部本体１３Ａ、ベルト取出部１３Ｂ、ベルト固定部１３Ｃ、および巻取軸１３Ｄを有する。
【００３０】
収容部本体１３Ａは、円筒形状を有する。収容部本体１３Ａは、内部にベルト２０を収容することが可能な構造を有する。収容部本体１３Ａは、支柱本体１２と互いに連結されている。
【００３１】
ベルト取出部１３Ｂは、収容部本体１３Ａからベルト２０を引き出すことが可能な構造を有する。ベルト取出部１３Ｂは、収容部本体１３Ａの側壁に取り付けられている。
ベルト固定部１３Ｃは、他のベルトパーティション装置１から引き出されたベルト２０の端部を固定することが可能な構造を有する。ベルト固定部１３Ｃは、収容部本体１３Ａの側壁に取り付けられている。
【００３２】
巻取軸１３Ｄは、収容部本体１３Ａの内部に取り付けられている。巻取軸１３Ｄは、ベルト２０を巻き取る機能を有する。
ベルト２０は、ベルト取出部１３Ｂを介して収容部本体１３Ａから引き出される構造を有する。ベルト２０は、収容部本体１３Ａの内部において巻取軸１３Ｄに巻きつけられて収容されている。ベルト２０は、収容部本体１３Ａの内部において、付勢部（図示略）により巻き取り方向に付勢されている。
【００３３】
情報部３０は、ベルト２０に形成されている。情報部３０は、施設の利用者が有する携帯端末装置において利用される情報を有する。
告知部４０は、情報部３０に関する情報を表示している。告知部４０は、収容部本体１３Ａにより支持されている。
【００３４】
図２を参照して、ベルト２０および情報部３０の構成について説明する。
図２（ａ）および図２（ｂ）に示されるように、ベルト２０は、第１面２１および第２面２２を有する。第１面２１と第２面２２とは、ベルト２０において互いに対向する面を示している。
【００３５】
情報部３０は、施設に関連する情報および施設で行われる催し物に関連する情報を有する。情報部３０は、第１情報提供部３１、第２情報提供部３２、第３情報提供部３３、第４情報提供部３４、第５情報提供部３５、第６情報提供部３６、第７情報提供部３７、および第８情報提供部３８を有する。
【００３６】
第１情報提供部３１、第２情報提供部３２、第３情報提供部３３、および第４情報提供部３４は、ＡＲ（Augmented Reality）マーカーにより構成されている。第１情報提供部３１、第２情報提供部３２、第３情報提供部３３、および第４情報提供部３４は、ベルト２０の第１面２１に印刷されている。第１情報提供部３１、第２情報提供部３２、第３情報提供部３３、および第４情報提供部３４は、ベルト２０の長手方向において、間隔ＸＡをおいてそれぞれ配置されている。間隔ＸＡは、施設の利用者が第１情報提供部３１〜第４情報提供部３４のうちいずれか一つを携帯端末装置で取得するときに、選択した情報提供部の隣の情報提供部が誤って取得されることを抑制できる距離を示している。
【００３７】
第１情報提供部３１および第３情報提供部３３は、一例として、施設に関連するキャラクターの情報を有する。第２情報提供部３２および第４情報提供部３４は、一例として、施設で行われる催し物に関連する情報を有する。
【００３８】
第５情報提供部３５、第６情報提供部３６、第７情報提供部３７、および第８情報提供部３８は、ＡＲマーカーにより構成されている。第５情報提供部３５、第６情報提供部３６、第７情報提供部３７、および第８情報提供部３８は、ベルト２０の第２面２２に印刷されている。第５情報提供部３５、第６情報提供部３６、第７情報提供部３７、および第８情報提供部３８は、ベルト２０の長手方向において、間隔ＸＢをおいてそれぞれ配置されている。間隔ＸＢは、施設の利用者が第５情報提供部３５〜第８情報提供部３８のうちいずれか一つを携帯端末装置で取得するときに、選択した情報提供部の隣の情報提供部が誤って取得されることを抑制できる距離を示している。
【００３９】
第５情報提供部３５は、第４情報提供部３４と同一のＡＲマーカーを示している。第６情報提供部３６は、第３情報提供部３３と同一のＡＲマーカーを示している。第７情報提供部３７は、第２情報提供部３２と同一のＡＲマーカーを示している。第８情報提供部３８は、第１情報提供部３１と同一のＡＲマーカーを示している。
【００４０】
図３を参照して、告知部４０の構成について説明する。
告知部４０は、支柱固定部４１、支持部４２、および表示部４３を有する。
支柱固定部４１は、収容部本体１３Ａの上面に固定されている（図１参照）。支柱固定部４１は、支持部４２を支持している。支柱固定部４１は、支持部４２と互いに連結されている。
【００４１】
支持部４２は、表示部４３を支持している。支持部４２は、支柱固定部４１および表示部４３と互いに連結されている。
表示部４３は、第１情報提供部３１、第２情報提供部３２、第３情報提供部３３、第４情報提供部３４、第５情報提供部３５、第６情報提供部３６、第７情報提供部３７、および第８情報提供部３８がベルト２０に印刷されていることを表示している。表示部４３は、施設の利用者が携帯端末装置を用いて第１情報提供部３１〜第８情報提供部３８から情報を取得するための方法を表示している。
【００４２】
図４を参照して、情報提供システム１００の構成について説明する。
情報提供システム１００は、ベルトパーティション装置１、携帯端末装置１１０、基地局１２０、情報提供用サーバー１３０、およびアプリケーション提供用サーバー１４０を有する。基地局１２０、情報提供用サーバー１３０、およびアプリケーション提供用サーバー１４０は、ＩＰネットワーク１５０に接続されている。ＩＰネットワーク１５０は、インターネットを含むネットワークを示している。
【００４３】
携帯端末装置１１０は、スマートフォンを示している。携帯端末装置１１０は、情報提供用サーバー１３０から送信される各種の情報を、ＩＰネットワーク１５０および基地局１２０を介して受信する機能を有する。携帯端末装置１１０は、アプリケーション提供用サーバー１４０から送信されるアプリケーションを、ＩＰネットワーク１５０および基地局１２０を介してダウンロードする機能を有する。携帯端末装置１１０は、ＧＰＳ衛星１６０から電波として送信される信号を受信する機能を有する。
【００４４】
図５を参照して、携帯端末装置１１０の詳細な構成について説明する。
携帯端末装置１１０は、アンテナ１１１、通信部１１２、撮影部１１３、操作部１１４、表示部１１５、記憶部１１６、および制御部１１７を有する。
【００４５】
アンテナ１１１は、基地局１２０へ電波を送信する機能を有する。アンテナ１１１は、基地局１２０から送信された電波を受信する機能を有する。
通信部１１２は、送信部１１２Ａおよび受信部１１２Ｂを有する。
【００４６】
送信部１１２Ａは、無線送信モジュールにより構成されている。送信部１１２Ａは、携帯端末装置１１０が有する通話機能、および情報要求信号の送信に使用される。情報要求信号は、情報部３０の各ＡＲマーカーの情報および位置情報を含む。送信部１１２Ａは、アンテナ１１１を用いて基地局１２０に電波を送信する。
【００４７】
受信部１１２Ｂは、無線受信モジュールにより構成されている。受信部１１２Ｂは、携帯端末装置１１０が有する通話機能とＧＰＳ機能、および情報の受信に使用される。受信部１１２Ｂは、アンテナ１１１を用いて基地局１２０から送信される情報を受信する。受信部１１２Ｂは、アンテナ１１１を用いてＧＰＳ衛星１６０から送信される信号を受信する。
【００４８】
撮影部１１３は、情報部３０の各ＡＲマーカーの情報の取得に使用される。
操作部１１４は、タッチパネル等のユーザインタフェースにより構成されている。操作部１１４は、ユーザーにより携帯端末装置１１０の操作のために使用される。
【００４９】
表示部１１５は、液晶ディスプレイにより構成されている。表示部１１５は、情報部３０の各ＡＲマーカーが有する情報を表示するために使用される。表示部１１５は、受信部１１２Ｂで受信した情報を表示する。
【００５０】
記憶部１１６は、メモリにより構成されている。記憶部１１６は、一例として、制御部１１７が実行するプログラムの記憶、およびＡＲマーカーの情報を取得するためのアプリケーションのインストールに使用される。
【００５１】
制御部１１７は、携帯端末装置１１０の各部を制御する集積回路により構成されている。制御部１１７は、ダウンロード要求信号を送信部１１２Ａに送信させる。ダウンロード要求信号は、一例として、ＡＲマーカーの情報を撮影部１１３により取得するためのアプリケーション（マーカー取得アプリケーション）のダウンロードを要求する情報を含む。マーカー取得アプリケーションは、受信部１１２Ｂがマーカー取得アプリケーションのデータを受信することにより記憶部１１６にインストールされる。
【００５２】
制御部１１７は、基地局１２０から送信された信号を受信部１１２Ｂが受信することにより、携帯端末装置１１０の位置情報を取得する。制御部１１７は、ＧＰＳ衛星１６０から送信された信号を受信部１１２Ｂが受信することにより、携帯端末装置１１０の詳細な位置情報を取得する。制御部１１７は、情報要求信号を送信部１１２Ａに送信させる。
【００５３】
制御部１１７は、アプリケーション提供用サーバー１４０から送信される情報を受信部１１２Ｂに受信させる。制御部１１７は、アプリケーション提供用サーバー１４０から送信される情報を表示部１１５に表示させる。制御部１１７は、撮影部１１３で取得した情報部３０の各ＡＲマーカーに関連した情報、すなわち情報提供用サーバー１３０から送信される情報を表示部１１５に表示させる。
【００５４】
図６を参照して、基地局１２０の構成について説明する。
基地局１２０は、アンテナ１２１、送信部１２２、受信部１２３、通信部１２４、および制御部１２５を有する。基地局１２０は、携帯端末装置１１０と情報提供用サーバー１３０との通信の中継を行う。基地局１２０は、携帯端末装置１１０とアプリケーション提供用サーバー１４０との通信の中継を行う。
【００５５】
アンテナ１２１は、携帯端末装置１１０へ電波を送信する機能を有する。アンテナ１２１は、携帯端末装置１１０から送信された電波を受信する機能を有する。
送信部１２２は、情報を送り出す電気通信装置である送信機により構成されている。送信部１２２は、携帯端末装置１１０が有する通話機能、情報の送信、および様々なアプリケーションのデータを送信する機能を有する。送信部１２２は、アンテナ１２１を用いて携帯端末装置１１０に電波を送信する。
【００５６】
受信部１２３は、情報を受け取る電気通信装置である受信機により構成されている。受信部１２３は、携帯端末装置１１０が有する通話機能、および情報要求信号の受信に使用される。受信部１２３は、アンテナ１２１を用いて携帯端末装置１１０から送信される情報要求信号を受信する。
【００５７】
通信部１２４は、電気通信装置であるネットワークインタフェースにより構成されている。通信部１２４は、ＩＰネットワーク１５０を介した情報提供用サーバー１３０との通信に使用される。通信部１２４は、ＩＰネットワーク１５０を介したアプリケーション提供用サーバー１４０との通信に使用される。
【００５８】
制御部１２５は、携帯端末装置１１０から送信された信号を受信部１２３が受信したとき、受信部１２３で受信した信号を通信部１２４に送信させる。
制御部１２５は、情報提供用サーバー１３０から送信された情報を通信部１２４が受信したとき、通信部１２４で受信した情報を送信部１２２に送信させる。制御部１２５は、アプリケーション提供用サーバー１４０から送信されたアプリケーションのデータを通信部１２４が受信したとき、通信部１２４で受信したアプリケーションのデータを送信部１２２に送信させる。
【００５９】
以上のように基地局１２０は、情報要求信号を受信部１２３が受信したとき、受信した情報要求信号を通信部１２４から情報提供用サーバー１３０に送信する。また、基地局１２０は、ダウンロード要求信号を受信部１２３が受信したとき、受信したダウンロード要求信号を通信部１２４からアプリケーション提供用サーバー１４０に送信する。
【００６０】
図７を参照して、情報提供用サーバー１３０の構成について説明する。
情報提供用サーバー１３０は、通信部１３１、記憶部１３２、および制御部１３３を有する。情報提供用サーバー１３０は、通信部１３１を用いて情報を携帯端末装置１１０に提供する。
【００６１】
通信部１３１は、電気通信装置であるネットワークインタフェースにより構成されている。通信部１３１は、ＩＰネットワーク１５０を介した基地局１２０との通信に使用される。通信部１３１は、携帯端末装置１１０から送信された情報要求信号に基づいて、携帯端末装置１１０により取得された各ＡＲマーカーと関連付けられた情報を基地局１２０に送信する。
【００６２】
記憶部１３２は、情報を記憶する記憶装置により構成されている。記憶部１３２は、第１情報提供部３１〜第８情報提供部３８が有する各ＡＲマーカーと関連付けられた情報を記憶している。記憶部１３２は、予測時間情報を記憶している。予測時間情報は、第１情報提供部３１〜第８情報提供部３８が有する各ＡＲマーカーに関連する情報および位置情報に基づく携帯端末装置１１０の利用者が目的地に到達するまでに要する予測の時間を示している。記憶部１３２は、各ＡＲマーカーに関連する情報と位置情報とを対応付けた予測時間情報を記憶している。
【００６３】
制御部１３３は、情報提供用サーバー１３０の各部を制御する集積回路により構成されている。制御部１３３は、携帯端末装置１１０から送信された情報要求信号を通信部１３１に受信させる。また、制御部１３３は、通信部１３１で受信した情報要求信号に基づいて、携帯端末装置１１０で取得したＡＲマーカーに関連付けられた情報を通信部１３１に送信させる。このとき、情報要求信号に位置情報を示す情報が含まれているとき、制御部１３３は、記憶部１３２に記憶されている予測時間情報を各ＡＲマーカーに関連付けられた情報と併せて通信部１３１に送信させる。
【００６４】
図８を参照して、アプリケーション提供用サーバー１４０の構成について説明する。
アプリケーション提供用サーバー１４０は、通信部１４１、記憶部１４２、および制御部１４３を有する。アプリケーション提供用サーバー１４０は、通信部１４１を用いて情報を携帯端末装置１１０に提供する。
【００６５】
通信部１４１は、電気通信装置であるネットワークインタフェースにより構成されている。通信部１４１は、ＩＰネットワーク１５０を介した基地局１２０との通信に使用される。通信部１４１は、携帯端末装置１１０から送信されたダウンロード要求信号に基づいて、アプリケーションのデータを送信する。
【００６６】
記憶部１４２は、アプリケーションのデータを保持する記憶装置により構成されている。記憶部１４２は、一例としてマーカー取得アプリケーションのデータを記憶している。
制御部１４３は、アプリケーション提供用サーバー１４０の各部を制御する集積回路により構成されている。制御部１４３は、携帯端末装置１１０から送信されたダウンロード要求信号を通信部１４１に受信させる。また、制御部１４３は、通信部１４１で受信したダウンロード要求信号に基づいてマーカー取得アプリケーションのデータを通信部１４１に送信させる。
【００６７】
図９を参照して、第１情報提供部３１〜第８情報提供部３８による情報提供方法について説明する。情報提供方法は、マーカー取得アプリケーションが携帯端末装置１１０にインストールされていることを前提に行われる。
【００６８】
ステップＳ１において、携帯端末装置１１０の利用者は、携帯端末装置１１０の撮影部１１３を用いて、任意のＡＲマーカーの情報を取得する。
ステップＳ２において、ＡＲマーカーの情報を取得した携帯端末装置１１０は、送信部１１２Ａを用いて情報要求信号を基地局１２０に送信する。
【００６９】
ステップ３において、基地局１２０は、受信部１２３を用いて、ステップＳ２において携帯端末装置１１０から送信された情報要求信号を受信する。
ステップＳ４において、基地局１２０は、通信部１２４を用いて、ステップＳ３において受信した情報要求信号を情報提供用サーバー１３０に送信する。
【００７０】
ステップＳ５において、情報提供用サーバー１３０は、通信部１３１を用いて、ステップＳ４において基地局１２０から送信された情報要求信号を受信する。
ステップＳ６において、情報提供用サーバー１３０は、通信部１３１を用いてマーカー対応情報を基地局１２０に送信する。マーカー対応情報は、ステップＳ５において受信した情報要求信号に含まれる携帯端末装置１１０が取得したＡＲマーカーに対応する情報を示している。なお、情報要求信号に携帯端末装置１１０の利用者の位置情報が含まれる場合には、ステップＳ６において、情報提供用サーバー１３０は、予測時間情報も併せて基地局１２０に送信する。
【００７１】
ステップＳ７において、基地局１２０は、通信部１２４を用いて、ステップＳ６において情報提供用サーバー１３０により送信されたマーカー対応情報を受信する。
ステップＳ８において、基地局１２０は、送信部１２２を用いて、ステップＳ７において受信したマーカー対応情報を携帯端末装置１１０に送信する。
【００７２】
ステップＳ９において、携帯端末装置１１０は、受信部１１２Ｂを用いて、Ｓ８において基地局１２０により送信されたマーカー対応情報を受信する。
ステップＳ１０において、携帯端末装置１１０は、表示部１１５を用いて、ステップＳ９において受信したマーカー対応情報を表示する。
【００７３】
ベルトパーティション装置１の作用について説明する。
図１０を参照して、マーカー対応情報の一例について説明する。
図１０（ａ）に示されるように、携帯端末装置１１０は、第１情報提供部３１、第３情報提供部３３、第６情報提供部３６、および第８情報提供部３８のいずれかのＡＲマーカーの情報を取得したとき、マーカー対応情報として施設のキャラクターに関するコンテンツを表示する。利用者は、表示されたコンテンツの項目から、例えば、「キャラクターＡと撮影！」を選択する。
【００７４】
図１０（ｂ）に示されるように、利用者が項目として、「キャラクターＡと撮影！」を選択したとき、携帯端末装置１１０は、施設に関連するキャラクターを表示部１１５に表示する。利用者は、表示部１１５に表示されたキャラクターと記念撮影を行うことができる。
【００７５】
図１１および図１２を参照して、マーカー対応情報の一例について説明する。
図１１（ａ）に示されるように、携帯端末装置１１０は、第２情報提供部３２、第４情報提供部３４、第５情報提供部３５、および第７情報提供部３７のいずれかのＡＲマーカーの情報を取得したとき、マーカー対応情報として、施設で行われる催し物に関するコンテンツを表示する。利用者は、表示されたコンテンツの項目から、例えば、「オリジナル冷凍食品を作ろう！」を選択する。
【００７６】
図１１（ｂ）に示されるように、利用者が項目として、「オリジナル冷凍食品を作ろう！」を選択したとき、携帯端末装置１１０は、さらに詳細な項目を表示部１１５に表示する。利用者は、表示された項目から例えば、「オリジナル冷凍食品の容器の蓋を作ろう！」を選択する。
【００７７】
図１２に示されるように、利用者が項目として、「オリジナル冷凍食品の容器の蓋を作ろう！」を選択したとき、携帯端末装置１１０は、施設のキャラクターが含まれた包装容器の蓋を表示部１１５に表示する。利用者は、包装容器の蓋と記念撮影をすることができる。撮影された画像は、施設のプリンターで印刷をすることが可能となる。
【００７８】
ベルトパーティション装置１および情報提供システム１００は、以下の効果を奏する。
（１）ベルトパーティション装置１は、情報部３０を有する。情報部３０は、第１情報提供部３１を有する。第１情報提供部３１は、ベルト２０に形成されている。第１情報提供部３１は、携帯端末装置１１０において利用される情報を有する。このため、ベルトパーティション装置１が設置される施設において順番待ちのために列をなしている利用者は、携帯端末装置１１０を用いて第１情報提供部３１から情報を取得できる。このため、利用者は、施設の順番待ちの間に様々な情報を取得できる。このため、ベルトパーティション装置１は、施設の利用者のストレスを緩和することができる。
【００７９】
（２）情報部３０は、施設に関連する情報、および催し物に関連する情報を有する。このため、利用者は、施設の利用の順番待ちの間に、施設に関連する情報および催し物に関連する情報を取得することができる。
【００８０】
（３）ベルトパーティション装置１は、第１情報提供部３１、第２情報提供部３２、第３情報提供部３３、第４情報提供部３４、第５情報提供部３５、第６情報提供部３６、第７情報提供部３７、および第８情報提供部３８を有する。このため、ベルトパーティション装置１は、情報提供部が一箇所である構成と比較して、利用者が情報を取得できる機会を増やすことができる。
【００８１】
（４）第１情報提供部３１〜第８情報提供部３８は、携帯端末装置１１０で取得されることにより携帯端末装置１１０に情報を提供するＡＲマーカーにより構成されている。第１情報提供部３１、第２情報提供部３２、第３情報提供部３３、および第４情報提供部３４は、ベルト２０の長手方向において間隔ＸＡをおいて形成されている。第５情報提供部３５、第６情報提供部３６、第７情報提供部３７、および第８情報提供部３８は、ベルト２０の長手方向において間隔ＸＢをおいて形成されている。このため、ベルトパーティション装置１は、利用者が携帯端末装置１１０を用いて目的のＡＲマーカーを取得するときに、目的とするＡＲマーカーの隣に配置されたＡＲマーカーを誤って取得することが抑制される。
【００８２】
（５）第１情報提供部３１、第２情報提供部３２、第３情報提供部３３、および第４情報提供部３４は、ベルト２０の第１面２１に印刷されている。第５情報提供部３５、第６情報提供部３６、第７情報提供部３７、および第８情報提供部３８は、ベルト２０の第２面に印刷されている。このため、利用者は、ベルト２０の第１面２１側および第２面２２側から情報を取得できる。このため、ベルトパーティション装置１は、利用者が情報を取得できる機会を増やすことができる。
【００８３】
（６）第１情報提供部３１、第２情報提供部３２、第３情報提供部３３、および第４情報提供部３４は、ベルト２０の第１面２１に印刷されている。第５情報提供部３５、第６情報提供部３６、第７情報提供部３７、および第８情報提供部３８は、ベルト２０の第２面に印刷されている。このため、ベルトパーティション装置１は、施設に設置するときにベルト２０の面を考慮することなく設置することができる。
【００８４】
（７）ベルトパーティション装置１は、告知部４０を有する。告知部４０は、第１情報提供部３１〜第８情報提供部３８に関する情報を表示している。このため、ベルトパーティション装置１は、利用者に第１情報提供部３１〜第８情報提供部３８の存在を気づかせやすくできる。
【００８５】
（８）情報提供システム１００は、情報提供用サーバー１３０を有する。情報提供用サーバー１３０は、ＡＲマーカーの情報および位置情報に基づいて、携帯端末装置１１０の利用者が目的地に到達するまでの予測時間情報を携帯端末装置１１０に送信する。このため、ベルトパーティション装置１が配置される施設の利用者は、おおよその施設の待ち時間を知ることができる。このため、ベルトパーティション装置１は、利用者が予測時間情報を取得することにより利用者のストレスを緩和できる可能性を高めることができる。
【００８６】
（第２実施形態）
第２実施形態のベルトパーティション装置２００は、次の点において第１実施形態のベルトパーティション装置１と相違し、その他の点においては第１実施形態のベルトパーティション装置１と同じ構成を有する。第１実施形態のベルトパーティション装置１は、図１等に示される第１情報提供部３１〜第８情報提供部３８を有する。第２実施形態のベルトパーティション装置２００は、図１３および図１４に示される情報提供部２３０を有する。なお、第２実施形態のベルトパーティション装置２００において、第１実施形態のベルトパーティション装置１と共通する構成については同一の符号を付して、その説明の一部または全部を省略する。
【００８７】
図１３および図１４を参照して、情報提供部２３０の構成について説明する。
情報提供部２３０は、ベルト２０に取り付けられる構造を有する。情報提供部２３０は、施設に関連する情報、および施設で行われる催し物に関連する情報を有する。情報提供部２３０は、ベルト２０の長手方向において間隔をおいて複数取り付けられている。情報提供部２３０は、ベルト２０に対して着脱可能な構造を有する。情報提供部２３０は、マーカー印刷部２３１、ＡＲマーカー２３２、およびベルト固定部２３３を有する。
【００８８】
マーカー印刷部２３１は、四角形状を有する。マーカー印刷部２３１は、ベルト固定部２３３と一体的に形成されている。ＡＲマーカー２３２は、マーカー印刷部２３１の表面に印刷されている。
【００８９】
ベルト固定部２３３は、マーカー印刷部２３１をベルト２０に固定する機能を有する。ベルト固定部２３３は、第１フック２３３Ａ、第２フック２３３Ｂ、および第３フック２３３Ｃを有する。ベルト固定部２３３は、第１フック２３３Ａおよび第２フック２３３Ｂと第３フック２３３Ｃとがベルト２０を挟み込むことにより、マーカー印刷部２３１をベルト２０に固定する。
【００９０】
ベルトパーティション装置２００は、上記（１）〜（８）の効果に加えて以下の効果を奏する。
（９）情報提供部２３０は、ベルト２０に対して着脱可能な構造を有する。このため、ベルト２０に対する情報提供部２３０の配置の自由度を高めることができる。
【００９１】
（１０）情報提供部２３０は、ベルト２０に対して着脱可能な構造を有する。このため、情報提供部２３０は、既存のベルトパーティション装置に情報提供部を取り付けることができる。
【００９２】
（その他の実施形態）
本ベルトパーティション装置および本情報提供システムは、第１実施形態および第２実施形態とは異なるその他の実施形態を含む。その他の実施形態は、一例として、第１実施形態および第２実施形態の変形例として以下に示される形態を含む。なお、以下の各変形例は、技術的に矛盾しない範囲において互いに組み合わせることができる。
【００９３】
・第１実施形態の第１情報提供部３１〜第８情報提供部３８は、ＡＲマーカーにより構成されている。ただし、第１情報提供部３１〜第８情報提供部３８の構成は、第１実施形態に例示された内容に限られない。
【００９４】
変形例の情報提供部は、ＮＦＣ（Near Field Communication）タグを有する。この構成によれば、利用者は、ＮＦＣ搭載の携帯端末装置を第１情報提供部３１〜第８情報提供部３８のいずれか一つにかざすことにより情報を取得できる。
【００９５】
・第１実施形態の第１情報提供部３１〜第８情報提供部３８は、ＡＲマーカーにより構成されている。ただし、第１情報提供部３１〜第８情報提供部３８の構成は、第１実施形態に例示された内容に限られない。変形例の情報提供部は、ＱＲコード（登録商標）により構成されている。
【００９６】
・第１実施形態の第１情報提供部３１〜第８情報提供部３８は、施設に関連する情報、および施設で行われる催し物に関連する情報を有する。ただし、第１情報提供部３１〜第８情報提供部３８が有する情報は、第１実施形態に例示された情報に限られない。変形例の情報提供部は、施設に関連する情報、および施設で行われる催し物に関連する情報以外の情報、例えば、天気や交通渋滞等の情報を有する。
【００９７】
・第１実施形態のベルトパーティション装置１は、「包装容器歴史館」に設置されている。ただし、ベルトパーティション装置１が設置される場所は、第１実施形態に例示された場所に限られない。変形例のベルトパーティション装置は、銀行、アミューズメント施設、遊園地、病院、およびデパート等の行列ができ得る施設に設置される。第１情報提供部３１〜第８情報提供部３８が有する情報は、ベルトパーティション装置が設置される施設に関連する情報、および施設で行われる催し物に関連した情報であることが好ましい。
【００９８】
・第１実施形態のベルトパーティション装置１は、支柱１０および告知部４０を有する。ただし、ベルトパーティション装置１の構成は、第１実施形態に例示された内容に限られない。変形例のベルトパーティション装置は、支柱１０と告知部４０とが一体的に形成された構成を有する。
【００９９】
・第１実施形態の第１情報提供部３１〜第８情報提供部３８は、ベルト２０に形成されている。ただし、第１情報提供部３１〜第８情報提供部３８の構成は、第１実施形態に例示された内容に限られない。変形例の情報提供部は、告知部４０に形成されている。
【０１００】
・第１実施形態の情報部３０は、第１情報提供部３１、第２情報提供部３２、第３情報提供部３３、第４情報提供部３４、第５情報提供部３５、第６情報提供部３６、第７情報提供部３７、および第８情報提供部３８を有する。ただし、情報部３０の構成は、第１実施形態に例示された内容に限られない。変形例の情報部は、第２情報提供部３２、第３情報提供部３３、第４情報提供部３４、第５情報提供部３５、第６情報提供部３６、第７情報提供部３７、および第８情報提供部３８のうちの少なくとも一つが省略された構成を有する。
【０１０１】
・第１実施形態の情報提供用サーバー１３０は、ＡＲマーカーの情報および位置情報に基づいて、携帯端末装置１１０の利用者が目的地に到達するまでの予測時間情報を携帯端末装置１１０に送信する。ただし、情報提供用サーバー１３０の構成は、第１実施形態に例示された内容に限られない。変形例の情報提供用サーバーは、各ＡＲマーカーに対応付けられた予測時間情報を記憶している。一例として、情報提供用サーバーは、目的地に近いＡＲマーカーほど短い予測時間情報を有する。
【０１０２】
・第１実施形態の携帯端末装置１１０は、スマートフォンが用いられている。ただし、携帯端末装置１１０の構成は、第１実施形態に例示された内容に限られない。変形例の携帯端末装置は、タブレット端末等の通信機器およびカメラ付きのデジタル機器を用いることができる。
【０１０３】
・第１実施形態の情報提供システム１００は、ＩＰネットワーク１５０が用いられている。ＩＰネットワーク１５０は、インターネットを含むネットワークを示している。ただし、情報提供システム１００のネットワークの構成は、第１実施形態に例示された内容に限られない。変形例の情報提供システムは、インターネットを含まないネットワークが用いられている。
【０１０４】
・第１実施形態の情報提供システム１００は、基地局１２０を有する。ただし、情報提供システム１００の構成は、第１実施形態に例示された内容に限られない。変形例の情報提供システムは、基地局３０以外の無線局である無線ＬＡＮアクセスポイントを有する。
【符号の説明】
【０１０５】
１…ベルトパーティション装置、１０…支柱、１１…支持台、１２…支柱本体、１３…ベルト収容部、１３Ａ…収容部本体、１３Ｂ…ベルト取出部、１３Ｃ…ベルト固定部、１３Ｄ…巻取軸、２０…ベルト、２１…第１面、２２…第２面、３０…情報部、３１…第１情報提供部、３２…第２情報提供部、３３…第３情報提供部、３４…第４情報提供部、３５…第５情報提供部、３６…第６情報提供部、３７…第７情報提供部、３８…第８情報提供部、４０…告知部、４１…支柱固定部、４２…支持部、４３…表示部、１００…情報提供システム、１１０…携帯端末装置、１１１…アンテナ、１１２…通信部、１１２Ａ…送信部、１１２Ｂ…受信部、１１３…撮影部、１１４…操作部、１１５…表示部、１１６…記憶部、１１７…制御部、１２０…基地局、１２１…アンテナ、１２２…送信部、１２３…受信部、１２４…通信部、１２５…制御部、１３０…情報提供用サーバー（サーバー）、１３１…通信部、１３２…記憶部、１３３…制御部、１４０…アプリケーション提供用サーバー、１４１…通信部、１４２…記憶部、１４３…制御部、１５０…ＩＰネットワーク、１６０…ＧＰＳ衛星、２００…ベルトパーティション装置、２３０…情報提供部、２３１…マーカー印刷部、２３２…ＡＲマーカー、２３３…ベルト固定部、２３３Ａ…第１フック、２３３Ｂ…第２フック、２３３Ｃ…第３フック、３００…ベルトパーティション装置、３１０…支柱、３１１…支持台、３１２…ポール、３１３…ベルト収容部、３１３Ａ…ベルト取出部、３１３Ｂ…ベルト固定部、３２０…ベルト。
【図１】
2014181533.tif 000003
【図２】
2014181533.tif 000004
【図３】
2014181533.tif 000005
【図４】
2014181533.tif 000006
【図５】
2014181533.tif 000007
【図６】
2014181533.tif 000008
【図７】
2014181533.tif 000009
【図８】
2014181533.tif 000010
【図９】
2014181533.tif 000011
【図１０】
2014181533.tif 000012
【図１１】
2014181533.tif 000013
【図１２】
2014181533.tif 000014
【図１３】
2014181533.tif 000015
【図１４】
2014181533.tif 000016
【図１５】
2014181533.tif 000017